(57)【要約】飲料用品のためのカートン（１０）であって、中央パネル（２０）と；左側折曲線（３２）に沿って中央パネルに対して折曲可能に連結された左側パネル（１２）と；右側折曲線（３４）に沿って中央パネルに対して折曲可能に連結された右側パネル（１４）と；中央パネルと左側パネルと右側パネルとから形成されたストラップハンドル（２４）と；を具備している。ストラップハンドルは、長手方向ではなく、左側パネルと右側パネルとの間にわたって中央パネルを横断して横方向に延在している。これにより、持上力を、端壁パネル（１３／１６，１５／１８）に対してではなく、側壁パネルに対して伝達し、吸収する。
2005505474.tif 000002
【特許請求の範囲】
【請求項１】
カートンであって、
頂壁パネルと、互いに対向しているとともに双方が前記頂壁パネルに対して折曲可能に連結された第１側壁パネルおよび第２側壁パネルと、を備えてなる複数のパネルと；
前記頂壁パネルを横断しつつ前記頂壁パネルに対して一体的に形成されるとともに、前記頂壁パネルと前記複数の側壁パネルとの間の各連結部分のそれぞれの各ラインにおいて終端するあるいは前記複数の側壁パネルの内部において終端する少なくとも１つの遠位端領域と、これら遠位端領域の間に形成された把持領域と、を備えた、ストラップハンドルと；
前記把持領域の近くにおいて前記ストラップハンドルと前記頂壁ハンドルとを相互連結する少なくとも１つのウェブと；
を具備していることを特徴とするカートン。
【請求項２】
請求項１記載のカートンにおいて、
前記ウェブパネルが、前記頂壁パネルから外向きに伸ばされることによって、前記頂壁パネルよりも高い位置に前記ハンドルを位置させることを特徴とするカートン。
【請求項３】
請求項１記載のカートンにおいて、
前記ウェブパネルが、前記頂壁パネルから外向きに伸ばされることによって、前記頂壁パネルよりも高い位置に前記ハンドルを位置させることを特徴とするカートン。
【請求項４】
請求項１記載のカートンにおいて、
前記把持領域が、前記ハンドルの少なくとも一方側における開口によって少なくとも部分的に形成されていることを特徴とするカートン。
【請求項５】
請求項１記載のカートンにおいて、
前記遠位端領域が、互いに離間した複数の切断線によって形成されているとともに、これら切断線どうしの間に位置した折曲線を有していることを特徴とするカートン。
【請求項６】
請求項５記載のカートンにおいて、
前記折曲線の少なくとも一部が、前記頂壁パネルと前記複数の側壁パネルとの間の各連結部分のそれぞれの各ラインに実質的に一致していることを特徴とするカートン。
【請求項７】
請求項５記載のカートンにおいて、
前記折曲線が、湾曲しており、前記ハンドルの近位ターミナル端に向けて開口する凹形状を形成していることを特徴とするカートン。
【請求項８】
請求項５記載のカートンにおいて、
前記折曲線が、前記複数の切断線からなる近位ターミナル領域とされていることを特徴とするカートン。
【請求項９】
請求項５記載のカートンにおいて、
前記折曲線が、前記複数の切断線と交差していることを特徴とするカートン。
【請求項１０】
請求項１記載のカートンにおいて、
前記ウェブが、少なくとも部分的には、互いに離間した実質的に平行なウェブ折曲線によって形成されていることを特徴とするカートン。
【請求項１１】
請求項１記載のカートンにおいて、
前記把持領域が、前記ハンドルの少なくとも一方側における長尺開口によって少なくとも部分的に形成され、
前記各ウェブが、前記長尺開口の近くにおいて、前記ストラップハンドルと前記頂壁パネルとを相互連結していることを特徴とするカートン。
【請求項１２】
カートンであって、
第１パネルと；
第１折曲線に沿って前記第１パネルに対して折曲可能に連結された第２パネルと；
第２折曲線に沿って前記第１パネルに対して折曲可能に連結された第３パネルと；
前記第１パネルを横断しつつ前記第２パネルと前記第３パネルとの間にわたって横方向に延在して前記第１パネルに対して一体的に形成されるとともに、前記第１折曲線および前記第２折曲線において終端するあるいは前記第２パネルおよび前記第３パネルの内部において終端する少なくとも１つの遠位端領域と、これら遠位端領域の間に形成された把持領域と、を備えた、ストラップハンドルと；
前記把持領域の近くにおいて前記ストラップハンドルと前記頂壁ハンドルとを相互連結する少なくとも１つのウェブと；
を具備していることを特徴とするカートン。
【請求項１３】
請求項１２記載のカートンにおいて、
前記ハンドルによって前記カートンを持ち上げたときには、前記ウェブが、前記第１パネルから外向きに伸ばされることによって、前記第１パネルよりも高い位置に前記ハンドルを位置させることを特徴とするカートン。
【請求項１４】
請求項１２記載のカートンにおいて、
前記把持領域が、前記ハンドルの少なくとも一方側における開口によって少なくとも部分的に形成されていることを特徴とするカートン。
【請求項１５】
請求項１２記載のカートンにおいて、
前記遠位端領域が、互いに離間した複数の切断線によって形成されているとともに、これら切断線どうしの間に位置した折曲線を有していることを特徴とするカートン。
【請求項１６】
請求項１５記載のカートンにおいて、
前記折曲線の少なくとも一部が、前記第１折曲線および前記第２折曲線と実質的に一致していることを特徴とするカートン。
【請求項１７】
請求項１５記載のカートンにおいて、
前記折曲線が、湾曲しており、前記ハンドルの近位ターミナル端に向けて開口する凹形状を形成していることを特徴とするカートン。
【請求項１８】
請求項１５記載のカートンにおいて、
前記折曲線が、前記複数の切断線からなる近位ターミナル領域とされていることを特徴とするカートン。
【請求項１９】
請求項１５記載のカートンにおいて、
前記折曲線が、前記複数の切断線と交差していることを特徴とするカートン。
【請求項２０】
請求項１２記載のカートンにおいて、
前記ウェブが、少なくとも部分的には、互いに離間した実質的に平行なウェブ折曲線によって形成されていることを特徴とするカートン。
【請求項２１】
請求項１２記載のカートンにおいて、
前記把持領域が、前記ハンドルの少なくとも一方側における長尺開口によって少なくとも部分的に形成され、
前記各ウェブが、前記長尺開口の近くにおいて、前記ストラップハンドルと前記頂壁パネルとを相互連結していることを特徴とするカートン。
【請求項２２】
カートンを形成するためのブランクであって、
左エッジに沿って左側折曲線と右エッジに沿って右側折曲線とを有した中央パネルと；
前記左側折曲線に沿って前記中央パネルに対して折曲可能に連結された左側パネルと；
前記右側折曲線に沿って前記中央パネルに対して折曲可能に連結された右側パネルと；
前記左側パネルと前記右側パネルとの間にわたって前記中央パネルを横断して横方向に延在しているとともに前記中央パネルに対して一体的に形成されるとともに、前記左側折曲線および前記右側折曲線において終端するあるいは前記左側パネルおよび前記右側パネルの内部において終端する少なくとも１つの遠位端領域と、これら遠位端領域の間に形成された把持領域と、を備えた、ストラップハンドルと；
前記把持領域の近くにおいて前記ストラップハンドルと前記頂壁ハンドルとを相互連結する少なくとも１つのウェブと；
を具備していることを特徴とするブランク。
【請求項２３】
請求項２２記載のブランクにおいて、
前記把持領域が、前記ハンドルの少なくとも一方側における開口によって少なくとも部分的に形成されていることを特徴とするブランク。
【請求項２４】
請求項２２記載のブランクにおいて、
前記遠位端領域が、互いに離間した複数の切断線によって形成されているとともに、これら切断線どうしの間に位置した折曲線を有していることを特徴とするブランク。
【請求項２５】
請求項２４記載のブランクにおいて、
前記折曲線の少なくとも一部が、前記右側折曲線および前記左側折曲線と実質的に一致していることを特徴とするブランク。
【請求項２６】
請求項２４記載のブランクにおいて、
前記折曲線が、湾曲しており、前記ハンドルの近位ターミナル端に向けて開口する凹形状を形成していることを特徴とするブランク。
【請求項２７】
請求項２４記載のブランクにおいて、
前記折曲線が、前記複数の切断線からなる近位ターミナル領域とされていることを特徴とするブランク。
【請求項２８】
請求項２４記載のブランクにおいて、
前記折曲線が、前記複数の切断線と交差していることを特徴とするブランク。
【請求項２９】
請求項２２記載のブランクにおいて、
前記ウェブが、少なくとも部分的には、互いに離間した実質的に平行なウェブ折曲線によって形成されていることを特徴とするブランク。
【請求項３０】
請求項２２記載のブランクにおいて、
前記把持領域が、前記ハンドルの少なくとも一方側における長尺開口によって少なくとも部分的に形成され、
前記各ウェブが、前記長尺開口の近くにおいて、前記ストラップハンドルと前記頂壁パネルとを相互連結していることを特徴とするブランク。
【発明の詳細な説明】
【技術分野】
【０００１】
本発明は、広義には、製品用カートンに関するものであり、より詳細には、ストラップハンドルを有したカートンに関するものである。
【背景技術】
【０００２】
飲料や栄養補助食品のための瓶や缶を収容するために使用されるカートンといったような製品用カートンには、多くの場合、カートンの持ち運びを容易とし得るように、握り孔やストラップハンドルが設置される。
【０００３】
ストラップハンドルを使用してカートンとその内容物とを持ち上げたときには、パッケージの重量が、ハンドルや、ハンドルの取付のためのある種のパネル領域（一般には、頂壁パネルの向きによる）や、あるいは、カートンの他の部分、に集中してしまうこととなる。重量集中によって応力が発生し、この応力が、ハンドルや様々なカートンパネル（特に、頂壁パネル）を変形させたり破壊したりしかねない。変形や破壊や他の引裂といったような問題点は、カートン材料として複数層の材料を使用することによって、および／または、より厚い材料を使用することによって、時に解決できることもあるけれども、そのような手段は、カートンのコストを増大させる。容易に引き裂け得るものではなく、また、カートンパネルの補強や厚い材料の使用を必要とするものでもなく、また、使用されているカートン材料の品質を維持しつつカートンの構造的強度を減じるものでもないような、ストラップハンドルが望ましいことは、理解されるであろう。なお、本出願人の知る限りにおいては、本出願に関連性を有する先行技術文献は存在しない。
【発明の開示】
【課題を解決するための手段】
【０００４】
本発明は、１つまたは複数の上記問題点を解決するためのものである。要約すれば、本発明の一見地においては、カートンは、頂壁パネルと、底壁パネルと、互いに対向している両側壁パネルと、を具備している。ストラップハンドルが、頂壁パネルおよび両側壁パネルに形成されており、両側壁パネルの間にわたって頂壁パネルを横断して横方向に延在している。ハンドルは、両側壁パネルと一体的に形成されており、複数のウェブパネルを使用して頂壁パネルに対して連結されている。ウェブパネルが伸びることによって、頂壁パネルからハンドルが離間され、容易に把持することができる。ハンドルの寸法と配置とのために、および、切込線が、ハンドルと両側壁パネルとの間の連結部分に配置されていることのために、負荷は、ハンドルから直接的に側壁パネルへと分散し、側壁パネルの全体にわたって分散する。
【０００５】
本発明の他の見地においては、ストラップハンドルは、側壁パネルと頂壁パネルと底壁パネルとに形成され、頂壁パネルと底壁パネルの間にわたって側壁パネルを横断して横方向に延在している。ハンドルは、カートンは、側壁パネルを上向きとして持ち上げる。負荷は、ハンドルから、ハンドルに対して連結されている頂壁パネルおよび底壁パネルへと伝達される。
【０００６】
ストラップハンドルは、また、首の長い瓶のためのカートンにおいても、有効である。ハンドルは、側壁パネルと頂壁パネルとに形成される。カートンは、各瓶を鉛直方向としてではなく、各瓶を水平方向として、持ち上げる。
【発明を実施するための最良の形態】
【０００７】
本発明の上記のおよび他の見地や目的や特徴点や利点は、添付図面を参照しつつ、本発明の好ましい実施形態に関する以下の詳細な説明を読むことにより、また、特許請求の範囲を読むことにより、より明瞭となるであろう。
【０００８】
本明細書全般にわたっておよび特許請求の範囲の全般にわたって、『頂壁』パネルや『側壁』パネルといった呼称は、説明や図示のための便宜的なものであることに注意されたい。これら用語の使用は、これらパネルに関しての限定を付加することを意図したものではない。
【０００９】
図１および図２に示すように、カートン（１０）は、側壁パネル（１２，１４）と、端壁パネル（１３，１５，１６，１８）と、頂壁パネル（２０）と、底壁パネル（２２）と、から形成されている。カートン（１０）には、長手方向に対して横向きとされたストラップハンドル（２４）が設けられている。横方向ハンドル（２４）は、指を側壁（１２，１４）間に延在させることに代えて、指を端壁パネル（１３／１６，１５／１８）間に延在させた状態で、手によって横方向ハンドルを握り得るような、向きとされている。図示のように、カートン（１０）は、１２個の飲料容器（Ａ）を収容しており、この例においては、１２個パックを形成している。この実施形態においては、カートン内にパッケージングされた缶や他の物品は、それぞれの長手方向軸を、ハンドルがなす横方向配向に対して平行としつつ、配置されている。横方向ストラップハンドル（２４）によって持ち上げられたときには、ハンドル（２４）による持上力は、従来的な縦方向ストラップハンドルの場合のように頂壁パネル（２０）や端壁パネル（１３／１６，１５／１８）やカートンコーナー部分に向けてではなく、側壁パネル（１２，１４）へと向けられる。よって、この持上力は、広い面積全体にわたって分散し、カートンをなす材料の厚さを増大させなくても、負荷に適合することができて、引裂発生を防止することができる。意図的な複数の切断線や折曲線を設けることにより、手を挿入し得る程度に十分なだけハンドル（２４）を持ち上げることができて、手によってハンドル（２４）を握ることができ、カートンを持ち運ぶことができる。
【００１０】
図２は、カートン（１０）を形成し得るブランク（２６）を示している。ブランク（２６）は、好ましくは、１枚の材料から形成されており、折曲線（２８，３０）によって端壁パネルと中央パネルとに区分される。頂壁パネル（２０）は、中央頂壁パネル部分（２０）と、端壁部分と、に区分される。同様に、側壁パネル（１２，１４）は、中央パネル部分と、端壁部分（１３，１５，１６，１８）と、に区分される。頂壁パネル（２０）は、折曲線（３２）に沿って側壁パネル（１２）に対して折曲可能に連結されているとともに、折曲線（３４）に沿って側壁パネル（１４）に対して折曲可能に連結されている。側壁パネル（１４）は、折曲線（３６）に沿って底壁パネル（２２ａ）に対して折曲可能に連結されている。底壁パネル（２２ｂ）は、折曲線（３８）に沿って側壁パネル（１２）に対して折曲可能に連結されている。
【００１１】
ブランク（２６）においては、側壁パネルと関連端壁パネルとに切込を形成することができ、破断線（中断箇所付き切断線）（４０，４２）が形成されている。破断線（４０，４２）により、これらパネルから材料を除去することができ、缶のための取出口を形成することができる。底壁パネル（２２）は、複数の切込線を有しており、これにより、小さな三角形のパネル（４４，４６）を形成している。これら三角形パネル（４４，４６）は、撓むことによってコーナー部分の形状を変更するものであり、コーナー部分が直角となってしまうことを回避する。この撓みにより、パネル（１４）のコーナー部分が、丸められる。底壁パネル（２２）は、また、除去可能なパネル（４８，５０）を形成するような切込線を有することができる。
【００１２】
パネル（１４）は、丸められた（角がとれた）コーナー部分を有しており、八角形形状をもたらしている。パネル（１４）の各コーナー部分においては、ブランクに、切欠が形成されている。しかしながら、パネル（１４）の端壁部分は、折曲線に沿ってパネル（２０，２２）に対して連結されかつ切込線（３２）によってパネル（１４）の端壁パネル（１６，１８）に対して連結されたウェブを介することにより、パネル（２０，２２）の隣接端壁部分に対して、連結される。これにより、カートンの組立時には、各端壁パネルを、巧妙に折り曲げることができる。八角形パネルは、四角形の角付きパネルと比較して、美観的に良好であり、したがって、陳列パネル（ディスプレイパネル）として使用することができる。八角形コーナーは、また、必ずしも常に四角形とは限らないような貯蔵スペースに対して、いくらかの適応性をもたらす。
【００１３】
横方向ハンドルストラップ（２４）は、頂壁パネル（２０）内の２つの切欠の間に形成された主ストラップ部分を有している。ハンドルフラップ（５２，５４）は、切込線に沿ってハンドル（２４）に対して連結されており、カートンの組立状態においては、ストラップの厚さを増大させて、握り孔の快適性を高めることができる。ハンドルアセンブリの全体は、頂壁パネル（２０）を横切って、側壁パネル（１２，１４）上へと伸びている。これにより、ハンドルアセンブリは、折曲線（３２，３４）を横断して延在している。ハンドルアセンブリは、折曲線（５６）に沿って側壁パネル（１２）において終端している。折曲線（５６）は、中央領域と、パネル（１２）に向かう角度とされた両端部と、を有している。このため、折曲線（５６）は、凹形状を有している、すなわち、反転“Ｃ”字形状を有している。その反転“Ｃ”字形状の両端部は、上下に位置した切断線（５８，６０）のところにおいてあるいは近傍において終端している。切断線（５８）は、折曲線（３２）に向けて下向きにかつ斜めに延在しており、その後、パネル（２０）上においては水平に延在している。同様に、切断線（６０）は、折曲線（３２）に向けて上向きにかつ斜めにパネル（１２）を横断しつつ延在しており、その後、パネル（２０）上においては水平に延在している。引裂を防止するために、また、持上力をパネル（２０，２２）のバルク内へと案内し得るように、切断線（５８，６０）の端部は、好ましくは、Ｊ字形状とされており、それらＪ字形状の背面どうしが互いに向き合っている。そのため、それらＪ字形状の湾曲部分どうしは、パネル（１２）内において互いに離間する向きに延在している。応力領域から離間する向きに湾曲していて引裂を防止しパネルのバルクへと引上力を分散させ得る限りにおいては、Ｊ字形状以外の形状を使用することができる。好ましくは、切断線（５８，６０）は、完全な切断線ではなく、カートンを立体化した後に容易に分離し得るようなギザギザ状とされる。
【００１４】
ウェブパネル（６２）は、パネル（２０）内の上側の握り孔切欠と、パネル（２０）内の切断線（５８）の水平部分と、の間に存在している。ウェブパネル（６２）は、複数の鉛直方向折曲線と、複数の水平方向切断線と、によって規定されている。折曲線に沿って折り曲げられたときには、主ハンドル部分（２４）は、パネル（２０）がなす平面よりも上方へと、持ち上げることができる。これにより、手を挿入するための空間が形成されて、カートンを持ち上げることができる。同様に、ハンドル（２４）の下側に沿っては、第２ウェブパネル（６４）が、ウェブパネル（６２）と協力して動作し得るようにして、折曲可能に連結されている。ウェブパネル（６４）は、パネル（２０）内において切断線（６０）の水平部分に沿って延在している。
【００１５】
パネル（１４，２０）は、協力して作用し、応力案内用の鉛直方向折曲線や切断線に関し、ハンドルに対しての鏡像を形成する。よって、鉛直方向折曲線（６６）は、鉛直方向折曲線（５６）の鏡像であって、持上力をパネル（１４）のバルク内へと案内するように機能し、これにより、カートン持上時のパネルの引裂を防止する。鉛直方向折曲線（６６）は、上方の端部が、切断線（６８）のところにおいてあるいは近傍において終端しており、下方の端部が、下側の切断線（７０）のところにおいてあるいは近傍において終端している。関連コーナーエッジ（３２，３４）からの、折曲線（５６，６６）の離間距離は、最適には、例えば肩部（Ｂ）を有した缶といったような物品（Ａ）がカートン内に導入される場合に、カートンを持ち上げた時点で肩部上に位置したカートン部分が肩部の傾斜に適合し得るものとされる。この特徴点のために、肩部を有した缶や他の物品は、折曲線（５６，６６）による応力案内態様を妨害することがない。切断線（６８）は、切断線（５８）の鏡像であり、一方、切断線（７０）は、切断線（６０）の鏡像である。切断線（６８）に関連した上側のウェブパネル（７２）は、ウェブパネル（６２）の鏡像であり、一方、切断線（７０）に関連したウェブパネル（７４）は、ウェブパネル（６４）の鏡像である。ブランク（２６）がカートンへと立体化されたときには、ハンドル（２４）によって生成された持上力は、パネル（１２，１４）に沿って分散し、底壁パネル（２２）を横断して分散する。
【００１６】
頂壁パネル（２０）は、さらに、三角形パネル（４４，４６）と同様の三角形パネル（７６，７８）を有しており、これら三角形パネル（７６，７８）は、同様の機能を有している。加えて、これら三角形パネルは、輸送時における缶の歪みやカートンに対する損傷などを、幾分かは緩和する。これら三角形パネルは、構造的頑強さを損なうことなく、カートンをわずかに膨出させることを可能とする。また、ハンドルを横方向に固定することにより、持上力は、材料のバルク内へと案内され、カートンの切断線や折曲線やコーナー部分や脆弱部分に対して直接的に案内されることがない。この持上力は、必要な強度をもたらすための特別の構造的特徴物に依存することなく、持上力を分散させることに基づいて、材料がなすバルクにより付帯し得るように案内される。
【００１７】
図３には、横方向ストラップハンドルの他の実施形態を、カートンを形成するためのブランクの形態でもって、示している。
【００１８】
図３は、図４に示すカートン（２１０）と同様のカートンを形成し得るようなブランク（１２６）を示している。ブランク（１２６）は、上述したブランク（２６）と同様であるとともに、後述するブランク（２２６）と同様である。ブランク（２６）は、物品（缶）（Ａ）がハンドルストラップ（２４）に対して平行に配置されるような１２個パックのカートンをもたらす。一方、ブランク（１２６）は、例えば缶といったような物品が、各物品の上面または底面を中央頂壁パネル（１２０）に対して当接しつつ、ブランク（１２６）から形成されたパッケージ内に配置されるような、６個パックスタイルのカートンをもたらす。ブランク（１２６）は、好ましくは、折曲線（１２８，１３０）によって端壁パネルと中央パネルとに区分される。頂壁パネル（１２０）は、折曲線（１２８，１３０）によって中央頂壁パネル部分（１２０）と、端壁部分（１１６，１１８）と、に区分される。側壁パネル（１１２，１１４）は、中央パネル部分と、端壁パネル部分と、に区分される。頂壁パネル（１２０）は、折曲線（１３２）に沿って側壁パネル（１１２）に対して折曲可能に連結されているとともに、折曲線（１３４）に沿って側壁パネル（１１４）に対して折曲可能に連結されている。底壁パネル（１２２ａ）は、折曲線（１３８）に沿って側壁パネル（１１２）に対して折曲可能に連結されているとともに、折曲線（１３６）に沿って底壁パネルフラップ（１２２ｂ）に対して折曲可能に連結されている。
【００１９】
側壁パネル（１２２）は、複数の切込線を有しており、これにより、小さな三角形のパネル（１４４，１４６）を形成している。これら三角形パネル（１４４，１４６）は、撓むことによってコーナー部分の形状を変更するものであり、コーナー部分が直角となってしまうことを回避する。同様に、側壁パネル（１１２）は、複数の切込線を有しており、これにより、小さな三角形のパネル（１７６，１７８）を形成している。
【００２０】
パネル（１２０）は、丸められた（角がとれた）コーナー部分を有しており、八角形形状をもたらしている。パネル（１２０）の各コーナー部分においては、ブランクに、切欠が形成されている。しかしながら、パネル（１２０）の端壁部分は、折曲線に沿ってパネル（１１２，１１４）に対して連結されかつ切込線によってパネル（１２０）の端壁パネル（１１６，１１８）に対して連結されたウェブを介することにより、パネル（１２０，１２２）の隣接端壁部分に対して、連結される。
【００２１】
横方向ハンドルストラップ（１２４）は、頂壁パネル（１２０）内の２つの切欠の間に形成された主ストラップ部分を有している。ハンドルフラップ（１５２，１５４）は、切込線に沿ってハンドル（１２４）に対して折曲可能に連結されており、カートンの組立状態においては、ストラップの厚さを増大させて、握り孔の快適性を高めることができる。ハンドルアセンブリの全体は、頂壁パネル（１２０）を横切って、側壁パネル（１１２，１１４）上へと伸びている。これにより、ハンドルアセンブリは、折曲線（１３２，１３４）を横断して延在している。ハンドルアセンブリは、折曲線（１５６）に沿って側壁パネル（１１２）において終端している。折曲線（１５６）は、中央領域と、パネル（１１２）に向かう角度とされた両端部と、を有している。このため、折曲線（１５６）は、凹形状を有している、すなわち、反転“Ｃ”字形状を有している。その反転“Ｃ”字形状の両端部は、上下に位置した切断線（１５８，１６０）のところにおいてあるいは近傍において終端している。切断線（１５８）は、折曲線（１３２）に向けて下向きにかつ斜めに延在しており、その後、パネル（１２０）上においては水平に延在している。同様に、切断線（１６０）は、折曲線（１３２）に向けて上向きにかつ斜めにパネル（１１２）を横断しつつ延在しており、その後、パネル（１２０）上においては水平に延在している。引裂を防止するために、また、持上力をパネル（１１２）をなす材料のバルク内へと案内し得るように、切断線（１５８，１６０）の端部は、好ましくは、Ｊ字形状とされており、それらＪ字形状の背面どうしが互いに向き合っている。そのため、それらＪ字形状の湾曲部分どうしは、パネル（１１２）内において互いに離間する向きに延在している。
【００２２】
ウェブパネル（１６２）は、パネル（１２０）内の上側の握り孔切欠と、パネル（１２０）内の切断線（１５８）の水平部分と、の間に存在している。ウェブパネル（１６２）は、複数の鉛直方向折曲線と、複数の水平方向切断線と、によって規定されている。折曲線に沿って折り曲げられたときには、主ハンドル部分（１２４）は、パネル（１２０）がなす平面よりも上方へと、持ち上げることができる。これにより、手を挿入するための空間が形成されて、カートンを持ち上げることができる。同様に、ハンドル（１２４）の下側に沿っては、第２ウェブパネル（１６４）が、ウェブパネル（１６２）と協力して動作し得るようにして、折曲可能に連結されている。ウェブパネル（１６４）は、パネル（１２０）内において切断線（１６０）の水平部分に沿って延在している。
【００２３】
パネル（１１４，１２０）は、協力して作用し、応力案内用の鉛直方向折曲線や切断線に関し、ハンドルに対しての鏡像を形成する。よって、鉛直方向折曲線（１６６）は、鉛直方向折曲線（１５６）の鏡像であって、持上力をパネル（１１４）のバルク内へと案内するように機能し、これにより、カートン持上時のパネルの引裂を防止する。鉛直方向折曲線（１６６）は、上方の端部が、切断線（１６８）のところにおいてあるいは近傍において終端しており、下方の端部が、下側の切断線（１７０）のところにおいてあるいは近傍において終端している。切断線（１６８）は、切断線（１５８）の鏡像であり、一方、切断線（１７０）は、切断線（１６０）の鏡像である。切断線（１６８）に関連した上側のウェブパネル（１７２）は、ウェブパネル（１６２）の鏡像であり、一方、切断線（１７０）に関連したウェブパネル（１７４）は、ウェブパネル（１６４）の鏡像である。ブランク（１２６）がカートンへと立体化されたときには、ハンドル（１２４）によって生成された持上力は、端壁パネル（１１６，１１８）に沿って分散するのではなく、パネル（１１２，１１４）に沿って分散し、底壁パネル（１２２）を横断して分散する。
【００２４】
ハンドルを横方向に固定することにより、持上力は、材料のバルク内へと案内され、カートンの切断線や折曲線やコーナー部分や脆弱部分に対して直接的に案内されることがない。この持上力は、必要な強度をもたらすための特別の構造的特徴物に依存することなく、持上力を分散させることに基づいて、材料がなすバルクにより付帯し得るように案内される。
【００２５】
図４には、横方向ハンドルアセンブリが示されている。ハンドルストラップ（２２４）は、立体化されたカートンにおいて、カートン（２１０）の頂壁パネルではなく、カートンの側壁パネル（２１４）として配向しているパネル内に形成されている。上述したように、『側壁』パネルや『頂壁』パネルや他のパネルといった呼称は、便宜的なものであって、本発明の範囲を無用に限定することを意図したものではない。図４に示すカートン（２１０）の向きは、図５のブランクに示すような取出口の位置に基づいている。図５は、カートン（２１０）を形成し得るようなブランク（２２６）を示している。ブランク（２２６）は、好ましくは、１枚の材料から形成されており、折曲線（２２８，２３０）によって端壁パネルと中央パネルとに区分される。頂壁パネル（２２０）は、中央頂壁パネル部分（２２０）と、端壁部分（２１６，２１８）と、に区分される。側壁パネル（２１２，２１４）は、中央パネル部分と、端壁パネル部分と、に区分される。頂壁パネル（２２０）は、折曲線（２３２）に沿って側壁パネル（２１２）に対して折曲可能に連結されているとともに、折曲線（２３４）に沿って側壁パネル（２１４）に対して折曲可能に連結されている。側壁パネル（２１４）は、折曲線（２３６）に沿って底壁パネル（２２２ａ）に対して折曲可能に連結されており、一方、底壁パネル（２２２ｂ）は、折曲線（２３８）に沿って側壁パネル（２１２）に対して折曲可能に連結されている。
【００２６】
横方向ハンドルストラップ（２２４）は、側壁パネル（２１４）内の２つの切欠の間に形成された主ストラップ部分を有している。ハンドルフラップ（２５２，２５４）は、切込線に沿ってハンドル（２２４）に対して折曲可能に連結されており、カートンの組立状態においては、ストラップの厚さを増大させて、握り孔の快適性を高めることができる。ハンドルアセンブリの全体は、側壁パネル（２１４）を横切って、頂壁パネル（２２０）および底壁パネル（２２２）上へと伸びている。これにより、ハンドルアセンブリは、折曲線（２３４，２３６）を横断して延在している。ハンドルアセンブリは、パネル（２２０）においては、折曲線（２５６）に沿って終端している。折曲線（２５６）は、上側および下側の切断線（２５８，２６０）においてあるいは近傍において終端している。切断線（２５８）は、折曲線（２３４）に向けてパネル（２２２）を水平に横断しており、その後、パネル（２１４）上においても水平に延在している。切断線（２５９）は、切断線（２５８）が終端している領域を起点とし、主ハンドル部分に向けて水平に延在している。しかしながら、切断線（２５９）は、切断線（２５８）よりもハンドル寄りに位置している。これにより、切断線（２５８，２５９）の間には不連続性が形成されている。同様に、切断線（２６０）は、折曲線（２３４）に向けてパネル（２２２）を水平に横断しており、その後、パネル（２１４）上においても水平に延在している。切断線（２６１）は、切断線（２６０）が終端している領域を起点とし、主ハンドル部分に向けて水平に延在している。しかしながら、切断線（２６１）は、切断線（２６０）よりもハンドル寄りに位置している。これにより、切断線（２６０，２６１）の間には不連続性が形成されている。引裂を防止するために、また、持上力をパネル（２２０，２２２）をなす材料のバルク内へと案内し得るように、切断線（２５８，２６０）の端部は、好ましくは、Ｊ字形状とされており、それらＪ字形状の背面どうしが互いに向き合っている。そのため、それらＪ字形状の湾曲部分どうしは、互いに離間する向きに延在している。
【００２７】
ウェブパネル（２６２）は、切断線（２５８，２５９）の間に存在しており、関連するウェブパネル（２６３）は、切断線（２５９）と、パネル（２１４）内の上側の握り孔切欠と、の間に存在している。ウェブパネル（２６２，２６３）は、複数の鉛直方向折曲線と、複数の水平方向切断線と、によって規定されている。折曲線に沿って折り曲げられたときには、主ハンドル部分（２２４）は、パネル（２１４）がなす平面よりも上方へと、持ち上げることができる。これにより、手を挿入するための空間が形成されて、カートンを持ち上げることができる。同様に、ハンドル（２２４）の下側に沿っては、ウェブパネル（２６４，２６５）が、ウェブパネル（２６２，２６３）と協力して動作し得るようにして、折曲可能に連結されている。ウェブパネル（２６４）は、切断線（２６０，２６１）の間に存在しており、関連するウェブパネル（２６５）は、切断線（２６１）と、パネル（２１４）内の下側の握り孔切欠と、の間に存在している。
【００２８】
パネル（２１４，２２０）は、協力して作用し、応力案内用の鉛直方向折曲線や切断線に関し、ハンドルに対しての鏡像を形成する。よって、鉛直方向折曲線（２６６）は、鉛直方向折曲線（２５６）の鏡像であって、持上力をパネル（２２２）のバルク内へと案内するように機能し、これにより、カートン持上時のパネルの引裂を防止する。鉛直方向折曲線（２６６）は、上方の端部が、切断線（２６８）のところにおいてあるいは近傍において終端しており、下方の端部が、下側の切断線（２７０）のところにおいてあるいは近傍において終端している。上述した図１および図２における折曲線（５６，６６）の場合と同様に、関連コーナーエッジ（２３４，２３６）からの、折曲線（２５６，２６６）の離間距離は、最適には、例えば肩部（Ｂ）を有した缶といったような複数の物品（Ａ）がカートン内に導入される場合に、カートンを持ち上げた時点で肩部上に位置したカートン部分が肩部の傾斜に適合し得るものとされる。この特徴点のために、肩部を有した缶や他の物品は、折曲線（２５６，２６６）による応力案内態様を妨害することがない。切断線（２６８）は、切断線（２５８）の鏡像であるとともに、切断線（２６９）は、切断線（２５９）の鏡像である。一方、切断線（２７０）は、切断線（２６０）の鏡像であるとともに、切断線（２７１）は、切断線（２６１）の鏡像である。切断線（２６８）に関連した上側のウェブパネル（２７２）は、ウェブパネル（２６２）の鏡像であるとともに、ウェブパネル（２７３）は、ウェブパネル（２６３）の鏡像である。一方、切断線（２７０）に関連したウェブパネル（２７４）は、ウェブパネル（２６４）の鏡像であるとともに、ウェブパネル（２７５）は、ウェブパネル（２６５）の鏡像である。ブランク（２２６）がカートンへと立体化されたときには、ハンドル（２２４）によって生成された持上力は、パネル（２２０，２２２）に沿って分散する。
【００２９】
図６は、瓶を１２個収容し得るような、横方向ストラップハンドル付きのカートンを形成するための他のブランク（３２６）を示している。横方向ストラップハンドルは、鉛直方向折曲線が直線状である点を除けば、図２および図５に示すブランクにおけるハンドルと同様である。横方向ストラップハンドル（３２４）は、頂壁パネル（３２０）内の２つの切欠の間に形成された主ストラップ部分を有している。ハンドルフラップ（３５２，３５４）は、切込線に沿ってハンドル（３２４）に対して折曲可能に連結されている。ハンドルアセンブリの全体は、頂壁パネル（３２０）を横切って、側壁パネル（３１２，３１４）上へと伸びている。これにより、ハンドルアセンブリは、折曲線（３３２，３３４）を横断して延在している。ハンドルアセンブリは、側壁パネル（３１２）においては、折曲線（３５６）に沿って終端しており、側壁パネル（３１４）においては、折曲線（３６６）に沿って終端している。折曲線（３５６）は、上側および下側の切断線（３５８，３６０）においてあるいは近傍において終端している。関連コーナーエッジからの、折曲線（３５６，３６６）の離間距離は、最適には、例えば肩部を有した瓶（瓶の場合には、缶の肩部よりも、肩部の位置が、より低い）といったような物品がカートン内に導入される場合に、カートンを持ち上げた時点で肩部上に位置したカートン部分が肩部の傾斜に適合し得るものとされる。この特徴点のために、肩部を有した瓶や他の物品は、折曲線（３５６，３６６）による応力案内態様を妨害することがない。切断線（３５８）は、折曲線（３３２）に向けて少しの距離にわたって斜め下向きに延在しており、その後、パネル（３２０）上において水平に延在している。同様に、切断線（３６０）は、折曲線（３３２）に向けて少しの距離にわたって斜め下向きに延在しており、その後、パネル（３２０）上において水平に延在している。切断線（３５８，３６０）の端部は、好ましくは、Ｊ字形状とされており、それらＪ字形状の背面どうしが互いに向き合っている。そのため、それらＪ字形状の湾曲部分どうしは、パネル（３１２）内において互いに離間する向きに延在している。
【００３０】
ウェブパネル（３６２）は、上側の握り孔切欠と、パネル（３２０）内における切断線（３５８）の水平部分と、の間に存在している。ウェブパネル（３６２）は、複数の鉛直方向折曲線と、複数の水平方向切断線と、によって規定されている。折曲線に沿って折り曲げられたときには、ハンドル（３２４）は、頂壁パネル（３２０）がなす平面よりも上方へと、持ち上げることができる。これにより、手を挿入するための空間が形成されて、カートンを持ち上げることができる。同様に、ハンドルの下側に沿っては、第２ウェブパネル（３６４）が、ウェブパネル（３６２）と協力して動作し得るようにして、折曲可能に連結されている。ウェブパネル（３６４）は、パネル（３２０）内における切断線（３６０）の水平部分に沿って存在している。
【００３１】
パネル（３１４，３２０）は、協力して作用し、応力案内用の鉛直方向折曲線や切断線に関し、ハンドルに対しての鏡像を形成する。よって、鉛直方向折曲線（３６６）は、鉛直方向折曲線（３５６）の鏡像である。鉛直方向折曲線（３６６）は、上方の端部が、切断線（３６８）のところにおいてあるいは近傍において終端しており、下方の端部が、下側の切断線（３７０）のところにおいてあるいは近傍において終端している。切断線（３６８）は、ハンドルの横方向軸に関して、切断線（３５８）の鏡像であるとともに、ハンドルの長手方向軸に関して、切断線（３７０）の鏡像である。一方、切断線（３７０）は、切断線（３６０）の鏡像である。切断線（３６８）に関連した上側のウェブパネル（３７２）は、ウェブパネル（３６２）の鏡像であるとともに、切断線（３７０）に関連したウェブパネル（３７４）は、ウェブパネル（３６４）の鏡像である。ブランク（３２６）がカートンへと立体化されたときには、ハンドル（３２４）によって生成された持上力は、パネル（３１２，３１４）に沿って分散し、底壁パネル（３２２）に沿って分散する。
【００３２】
また、図７は、１２個パックの瓶用カートンにおける横方向ハンドルを示している。この横方向ストラップハンドルは、側壁に形成されていて、複数の瓶を、直立状態ではなく、横に寝かせて収容し得るようになっている。ハンドルは、図２のブランクにおけるハンドルのような対称的なものではなく、左側が、図２のハンドルの左側と同様であり、右側が、異なる構成とされている。右側は、鉛直方向折曲線を有しておらず、パネルに対して直接的に連結されたハンドルストラップを有している。側壁パネルは、この側壁パネルを分岐させる鉛直方向折曲線を有している。このため、カートンの組立状態においては、側壁パネルの一部が、完全に鉛直方向となり、側壁パネルの他の部分が、内向きに傾斜して、瓶の外形形状に追従することができる。鉛直方向折曲線は、ハンドルの中央部に沿っては、存在しない。そのため、ブランクをカートンへと組み立てたときには、手を挿入するための空間が、自動的に形成される。あるいは、ハンドルの長手方向部分がパネルの外形形状に追従していれば、ブランクの左側において鉛直方向折曲線に沿って、手を挿入するための空間が形成される。
【００３３】
図７は、カートンを形成し得るようなブランク（４２６）を示している。ブランク（４２６）は、好ましくは、１枚の材料から形成されており、水平方向折曲線（４２８，４３０）によって端壁パネルと中央パネルとに区分される。頂壁パネル（４２０）は、折曲線（４２８，４３０）によって、中央頂壁パネル部分（４２０）と、端壁部分（４１６，４１８）と、に区分される。側壁パネル（４１２ａ，４１２ｂ，４１４ａ，４１４ｂ）は、中央パネル部分と、端壁パネル部分と、に区分される。頂壁パネル（４２０）は、折曲線（４３２）に沿って側壁パネル（４１２ａ）に対して折曲可能に連結されている。側壁パネル（４１２ａ）は、折曲線（４３３）に沿ってパネル（４１２ｂ）に対して折曲可能に連結され、パネル（４１２ｂ）は、折曲線（４３８）に沿って底壁パネル（４２２）に対して折曲可能に連結されている。側壁パネル（４１４ｂ）は、折曲線（４３６，４３８）に沿って底壁パネル（４２２）および側壁パネル（４１４ａ）に対して折曲可能に連結されている。頂壁フラップ（４３９）は、折曲線（４４１）に沿って側壁パネル（４１４ａ）に対して折曲可能に連結されている。
【００３４】
ブランクには、底壁パネル（４２２）の端壁フラップ（４１８）が側壁パネル（４１２ａ，４１２ｂ）と遭遇している各コーナー部分に、切欠が設けられている。パネル（４２２）の端壁部分は、折曲線に沿って関連パネルに対して連結されたストラップを介することにより、パネル（４１２ｂ，４１４ｂ）の連結端壁部分に対して、連結される。これにより、カートンの組立時には、各端壁パネルを、巧妙に折り曲げることができる。
【００３５】
立体化時には、まず最初に側壁パネルを折り曲げ、端壁パネルを、最後に折り曲げる。これにより、連結ストラップを、端壁パネルどうしの間に巧妙に折り曲げることができる。側壁パネル（４１４）には、複数の切込線（４４２）が形成され、これにより、破断開放アクセスパネルが形成される。カートンを、底壁パネル（４２２）を底壁として立体化し、複数の瓶を、底壁パネル（４２２）上に直立させる。側壁パネル（４１２ｂ，４１４ｂ）を、底壁パネルに対して実質的に垂直なものとする。側壁パネル（４１２ａ，４１４ａ）を、それぞれの頂部において内向きに折り曲げ、肩部よりもネック部が細いような首の長い瓶（４１１）の外形形状に適合させる。頂壁フラップ（４３９）を、頂壁パネル（４２０）上に折り曲げ、所定位置において接着する。頂壁フラップ（４３９）を受領し得るように、頂壁パネル（４２０）内に切欠を存在させ、これにより、構造的強度を減じることなく材料を保存する。パネル（４２０，４３９）は、複数の切欠（４４０）と複数の切取可能パネル（４４１）とを有することができ、これらパネルを貫通させた状態で瓶の頂部を受領することができる。
【００３６】
横方向ハンドルストラップ（４２４）は、側壁パネル（４１２ａ，４１２ｂ）内の２つの切欠の間に形成された主ストラップ部分を有している。ハンドルフラップ（４５２，４５４）は、切込線に沿ってハンドル（４２４）に対して折曲可能に連結されており、ストラップの厚さを増大させて、握り孔の快適性を高めることができる。ハンドルアセンブリの全体は、パネル（４１２ｂ）からパネル（４１２ａ）を横切って、頂壁パネル（４２０）上へと伸びている。これにより、ハンドルアセンブリは、折曲線（４３２，４３４）を横断して延在している。しかしながら、折曲線（４３３）は、ハンドルと交差しておらず、これにより、ハンドルを伸ばしつつ把持することができる。ハンドルアセンブリは、折曲線（４５６）に沿って側壁パネル（４１２）において終端している。折曲線（４５６）は、中央領域と、パネル（４２０）に向かう角度とされた両端部と、を有している。このため、折曲線（４５６）は、凹形状を有している、すなわち、反転“Ｃ”字形状を有している。その反転“Ｃ”字形状の両端部は、上下に位置した切断線（４５８，４６０）のところにおいてあるいは近傍において終端している。関連コーナーエッジ（４３２）からの折曲線（４５６，２６６）までの離間距離は、最適には、例えばヒールを有した瓶といったような複数の物品がカートン内に導入される場合に、カートンを持ち上げた時点でヒール上に位置したカートン部分がヒールの傾斜に適合し得るものとされる。この特徴点のために、ヒールを有した缶や他の物品は、折曲線（４５６）による応力案内態様を妨害することがない。切断線（４５８）は、折曲線（４３２）に向けて下向きにかつ斜めに延在しており、その後、パネル（４１２ａ）上においては水平に延在している。同様に、切断線（４６０）は、折曲線（４３２）に向けて上向きにかつ斜めにパネルを横断しており、その後、パネル（４１２ａ）上においては水平に延在している。引裂を防止するために、また、持上力をパネル（４２０）をなす材料のバルク内へと案内し得るように、切断線（４５８，４６０）の端部は、好ましくは、Ｊ字形状とされており、それらＪ字形状の背面どうしが互いに向き合っている。そのため、それらＪ字形状の湾曲部分どうしは、パネル（４２０）内において互いに離間する向きに延在している。
【００３７】
ウェブパネル（４６２）は、パネル（４１２）内の上側の握り孔切欠と、パネル（４１２）内の切断線（４５８）の水平部分と、の間に存在している。ウェブパネル（４６２）は、複数の鉛直方向折曲線と、複数の水平方向切断線と、によって規定されている。折曲線に沿って折り曲げられたときには、主ハンドル部分（４２４）は、パネル（４１２）がなす平面よりも上方へと、持ち上げることができる。これにより、手を挿入するための空間が形成されて、カートンを持ち上げることができる。同様に、ハンドル（４２４）の下側に沿っては、第２ウェブパネル（４６４）が、ウェブパネル（４６２）と協力して動作し得るようにして、折曲可能に連結されている。ウェブパネル（４６４）は、パネル（４１２）内において切断線（４６０）の水平部分に沿って延在している。ブランク（４２６）がカートンへと立体化されたときには、ハンドル（４２４）によって生成された持上力は、パネル（４１２ｂ，４２０）に沿って分散する。運搬時には、各瓶が鉛直方向ではなく水平方向を向くようにして、カートンを、側面において持ち上げることができる。
【００３８】
図８は、例えば１リットル瓶といったような物を６個パックするためのカートンを形成し得るようなブランク（５２６）を示している。頂壁パネル（５２０）は、一方では、折曲線（５３２）に沿って側壁パネル（５１２）に対して折曲可能に連結されており、他方では、折曲線（５３４）に沿って側壁パネル（５１４）に対して折曲可能に連結されている。側壁パネル（５１４）は、折曲線（５３６）に沿って底壁パネル（５２２ａ）に対して折曲可能に連結されている。底壁パネル（５２２ｂ）は、折曲線（５３８）に沿って側壁パネル（５１２）に対して折曲可能に連結されている。
【００３９】
横方向ハンドルストラップ（５２４）は、頂壁パネル（５２０）内の２つの切欠の間に形成された主ストラップ部分を有している。ハンドルアセンブリの全体は、頂壁パネル（５２０）を横切って、側壁パネル（５１２，５１４）上へと伸びている。これにより、ハンドルアセンブリは、折曲線（５３２，５３４）を横断して延在している。切断線（５５８）は、水平方向において折曲線（５３２）に向けてわずかに下向きに延在しており、その後、パネル（５２０）へと延出されている。同様に、切断線（５６０）は、水平方向において折曲線（５３４）に向けてわずかに上向きにパネル（５１２）を横断しており、その後、パネル（５２０）へと延出されている。引裂を防止するために、また、持上力をパネル（５１２）をなす材料のバルク内へと案内し得るように、切断線（５５８，５６０）の端部は、好ましくは、Ｊ字形状とされており、それらＪ字形状の背面どうしが互いに向き合っている。そのため、それらＪ字形状の湾曲部分どうしは、パネル（５１２）内において互いに離間する向きに延在している。
【００４０】
ウェブパネル（５６２）は、パネル（５２０）内の上側の握り孔切欠と、パネル（５２０）内の切断線（５５８）の一部と、の間に存在している。ウェブパネル（５６２）は、複数の鉛直方向折曲線と、複数の水平方向切断線と、によって規定されている。折曲線に沿って折り曲げられたときには、主ハンドル部分（５２４）は、パネル（５２０）がなす平面よりも上方へと、持ち上げることができる。これにより、手を挿入するための空間が形成されて、カートンを持ち上げることができる。同様に、ハンドル（５２４）の下側に沿っては、第２ウェブパネル（５６４）が、ウェブパネル（５６２）と協力して動作し得るようにして、折曲可能に連結されている。ウェブパネル（５６４）は、パネル（５２０）内において切断線（５６０）の一部に沿って延在している。切断線（５６８）は、ハンドルの横方向軸に関して、切断線（５５８）の鏡像であり、切断線（５７０）は、切断線（５６０）の鏡像である。切断線（５６８）に関連した上側のウェブパネル（５７２）は、ウェブパネル（５６２）の鏡像であるとともに、切断線（５７０）に関連したウェブパネル（５７４）は、ウェブパネル（５６４）の鏡像である。ブランク（５２６）がカートンへと立体化されたときには、ハンドル（５２４）によって生成された持上力は、パネル（５１２，５１４）に沿って分散し、底壁パネル（５２２ａ，５２２ｂ）に沿って分散する。
【００４１】
図８は、端壁パネルを設けない巻付タイプのカートンを形成するための、ブランクである。頂壁（５２０）は、瓶のネックを受領するための複数の開口（５７６）を有している。各開口（５７６）は、好ましくは、円形とされ、より大きなネックのために開口を拡張し得るよう開裂可能な部分が隣接して付設されている。図示のように、６個の開口が設けられている。側壁（５１２）は、カートンの収容物に対してアクセスするためのプルタブをなす列状破断線（５７８）を有している。底壁パネル（５２２ａ，５２２ｂ）は、立体化された状態で瓶の底部に係合して瓶の位置ズレを防止するための切込形成パネル（５８０）を有している。底壁パネルは、さらに、ロックタブを有している。
【００４２】
上述した様々な実施形態に例示したように、カートンのハンドル（２４，１２４，２２４，３２４，４２４，５２４）のストラップ部分は、パネルに対して長手方向に配向された場合よりも、パネルの長さおよび幅に対して横方向に配向した場合の方が、より幅広のものとすることができる。幅広のハンドルは、狭いものよりも強度が大きく、狭い幅のハンドルの場合と比較して、より薄い材料から形成することができる。同様に、カートンに対してＴ字形状の連結を形成するハンドル端部は、ハンドルを長手方向に配置する場合よりも、より幅広のものとすることができる。各実施形態において応力が案内される複数の側壁は、典型的には、応力の分散が可能であるような最大の連続した表面積をもたらす。典型的には、側壁パネルは、他のパネルに対して接着されるジョイントを有していない。あるいは、もしジョイントが存在すれば、応力を受ける側壁は、実質的に応力を分散させるよう機能する十分な表面積をもたらす。
【００４３】
横方向ストラップハンドルを備えたカートン、および、そのようなカートンを形成するためのブランクが提供されることは、理解されるであろう。長手方向に代えて、横方向にストラップハンドルを配置することにより、持上力およびパッケージ重量は、側壁パネルというより大きな面積へと分散される。カートンは、中央パネルと、左側折曲線に沿って中央パネルに対して折曲可能に連結された左側パネルと、右側折曲線に沿って中央パネルに対して折曲可能に連結された右側パネルと、中央パネルと左側パネルと右側パネルとから形成されたストラップハンドルと、を備えている。ハンドルは、左側パネルと右側パネルとの間において中央パネルを横断して延在している。ハンドルと中央パネルとに対して取り付けられたウェブパネルが、ハンドルと中央パネルとを連結している。典型的には４個や８個のウェブパネルからなる偶数組のものとされるこれらウェブパネルが使用され、ハンドルの長手方向軸および横方向軸に対して対称に配置される。それらウェブパネルは、ハンドルおよび中央パネルに対して折曲可能に連結され、中央パネルから伸ばされることによって、中央パネルよりも高い位置にハンドルを位置させる。ハンドルは、左側および右側の折曲線に沿って折り曲げられる。ある実施形態においては、ハンドルの左側部分は、左側パネルに向けて開口した凹状湾曲を有しており、ハンドルの右側部分は、右側パネルに向けて開口した凹状湾曲を有している。他の実施形態においては、ハンドルの左側部分は、左側パネルに向けて開口した凹状湾曲を有しており、ハンドルの右側部分は、右側パネルに対して一体的とされている。いずれの実施形態においても、ハンドルの左側部分および右側部分は、それぞれ左側パネルおよび右側パネルに対して負荷を均等に分散させる。左側−中央−右側というパネル組合せは、側壁−頂壁−側壁というパネル組合せや、頂壁−側壁−底壁というパネル組合せ、とすることができる。
【００４４】
製品用カートンのためのブランクは、左エッジに沿って左側折曲線と右エッジに沿って右側折曲線とを有した中央パネルを備えている。左側パネルが、左側折曲線に沿って中央パネルに対して折曲可能に連結されているとともに、右側パネルが、右側折曲線に沿って中央パネルに対して折曲可能に連結されている。ストラップハンドルは、中央パネルと左側パネルと右側パネルとから形成され、左側パネルと右側パネルとの間にわたって中央パネルを横断して延在している。好ましい実施形態においては、少なくとも４個のウェブパネルが、ハンドルと中央パネルとに対して折曲可能に取り付けられており、ハンドルと中央パネルとを連結している。これらウェブパネルは、ハンドルの長手方向軸および横方向軸に対して対称に配置される。ハンドルは、左側および右側の折曲線に沿って折り曲げられる。ある実施形態においては、ハンドルの左側部分は、左側パネルに向けて開口した凹状湾曲を有しており、ハンドルの右側部分は、右側パネルに向けて開口した凹状湾曲を有している。他の実施形態においては、ハンドルの左側部分は、左側パネルに向けて開口した凹状湾曲を有しており、ハンドルの右側部分は、右側パネルに対して一体的とされている。
【００４５】
本発明についていくつかの好ましい実施形態を参照して説明したけれども、本発明のある種の見地が、例示された特定の細部にまで限定されないことは明らかであり、したがって、当業者であれば、他の修正や応用を想定することができる。例えば、カートンは、説明した順序以外の様々な順序を使用してブランクから組み立てることができる。また、単一のブランクが好ましいけれども、複数の部材からなるブランクを使用することもできる。したがって、本発明の精神および範囲を逸脱することなく、特許請求の範囲が、そのようなすべての修正や応用を包含することが意図されている。
【図面の簡単な説明】
【００４６】
【図１】本発明に基づいて単一のブランクから形成された横方向ストラップハンドル付きの製品用カートンの好ましい実施形態の組立状態を示す斜視図である。
【図２】図１の横方向ストラップハンドル付きカートンのためのブランクを示す図である。
【図３】図２の横方向ストラップハンドル付きカートンに類似した他の実施形態におけるブランクを示す図である。
【図４】図１に類似しているものの他の実施形態に基づいて単一のブランクから形成された横方向ストラップハンドル付きの製品用カートンの組立状態を示す斜視図である。
【図５】図４の横方向ストラップハンドル付きカートンのためのブランクを示す図である。
【図６】図４の横方向ストラップハンドル付きカートンに類似した他の実施形態におけるブランクを示す図である。
【図７】横方向ストラップハンドル付きカートンのための他のブランクを示す図であって、切取可能パネルを有している。
【図８】図７の横方向ストラップハンドル付きカートンに類似した他の実施形態におけるブランクを示す図である。
【符号の説明】
【００４７】
１０    カートン
１２    側壁パネル（左側パネル）
１４    側壁パネル（右側パネル）
２０    頂壁パネル（中央パネル）
２４    横方向ハンドル、ストラップハンドル
２６    ブランク
３２    折曲線
３４    折曲線
５６    折曲線
５８    切断線
６０    切断線
６２    ウェブパネル
６４    ウェブパネル
６６    折曲線
６８    切断線
７０    切断線
７２    ウェブパネル
７４    ウェブパネル
２１４    側壁パネル（中央パネル）
２２０    頂壁パネル（左側パネル）
２２２ａ  底壁パネル（右側パネル）
２２４    ストラップハンドル
２３４    折曲線
２３６    折曲線
２５８    切断線
２６０    切断線
２６２    ウェブパネル
２６３    ウェブパネル
２６４    ウェブパネル
２６５    ウェブパネル
２６８    切断線
２７０    切断線
２７２    ウェブパネル
２７３    ウェブパネル
２７４    ウェブパネル
２７５    ウェブパネル
【国際公開パンフレット】
2005505474.tif 000003
2005505474.tif 000004
2005505474.tif 000005
2005505474.tif 000006
2005505474.tif 000007
2005505474.tif 000008
2005505474.tif 000009
2005505474.tif 000010
2005505474.tif 000011
2005505474.tif 000012
2005505474.tif 000013
2005505474.tif 000014
2005505474.tif 000015
2005505474.tif 000016
2005505474.tif 000017
2005505474.tif 000018
2005505474.tif 000019
2005505474.tif 000020
2005505474.tif 000021
2005505474.tif 000022
2005505474.tif 000023
2005505474.tif 000024
2005505474.tif 000025
2005505474.tif 000026
2005505474.tif 000027
2005505474.tif 000028
2005505474.tif 000029
【手続補正書】
【提出日】平成15年5月28日(2003.5.28)
【手続補正１】
【補正対象書類名】特許請求の範囲
【補正対象項目名】全文
【補正方法】変更
【補正の内容】
【特許請求の範囲】
【請求項１】
飲料用容器（Ａ）のためのカートン（１０）であって、
中央パネル（２０）と；
折曲線（３２）に沿って前記中央パネルに対して折曲可能に連結された左側パネル（１２）と；
折曲線（３４）に沿って前記中央パネルに対して折曲可能に連結された右側パネル（１４）と；
前記中央パネルに対しての一体部分によってもたらされているストラップハンドル（２４）と；
を具備し、
前記ストラップハンドル（２４）が、このストラップハンドルの一端または各端部の近傍に位置した複数のウェブパネル（６２，６４；７２，７４）を介して、および、前記中央パネルの前記各ウェブパネルから隣接側壁パネル（１２，１４）内へと延在する切断線（５８，６０；６８，７０）を介して、前記中央パネルに対して折曲可能に連結され、
このような構成において、
前記ウェブパネルが、前記中央パネルがなす面から上向きに折曲可能とされ、これと同時に、前記隣接側壁パネルおよび前記中央パネルのうちの、前記切断線どうしの間に位置した部分は、カートンに対して内向きに変位可能とされ、
この変位と、前記ウェブパネルの前記上向き折曲と、によって、前記ストラップハンドル自体が、前記中央パネルがなす前記面よりも上方に持ち上げられ、これにより、負荷が、前記側壁パネル内へと伝達されて前記側壁パネルにわたって分散することを特徴とするカートン。
【請求項２】
請求項１記載のカートンにおいて、
前記中央パネルから隣接側壁パネル内へと延在する前記複数の切断線のうちの、互いに隣接する切断線どうしが、その隣接側壁パネル内において、前記ハンドルパネルを横断して延在する折曲線（５６；６６）によって、連結されていることを特徴とするカートン。
【請求項３】
請求項２記載のカートンにおいて、
前記連結折曲線（５６；６６）が、前記中央パネルと前記左側パネルおよび前記右側パネルのうちの一方とを連結している折曲線（３２；３４）の近傍に配置されていることを特徴とするカートン。
【請求項４】
請求項２または３記載のカートンにおいて、
前記連結折曲線（５６；６６）が、前記切断線の端部から、前記中央パネルと前記左側パネルおよび前記右側パネルのうちの一方とを連結している折曲線（３２；３４）の近傍に向けて、延在していることを特徴とするカートン。
【請求項５】
請求項２〜４のいずれか１項に記載のカートンにおいて、
前記連結折曲線（５６；６６）が、前記中央パネルと前記左側パネルおよび前記右側パネルのうちの一方とを連結している折曲線（３２；３４）に一致した部分を有していることを特徴とするカートン。
【請求項６】
請求項１〜５のいずれか１項に記載のカートンにおいて、
前記ストラップハンドル（２４）が、互いに協同することによって前記ハンドルストラップの少なくとも一部を形成するような一対の握り孔に隣接した各ハンドルストラップ端部のところに配置された一対のウェブパネル（６２，６４；７２，７４）によって、前記中央パネル（２０）に対して折曲可能に連結されていることを特徴とするカートン。
【請求項７】
請求項１記載のカートンにおいて、
前記ストラップハンドル（２２４）が、２つの対をなすウェブパネルによって、前記中央パネル（２１４）に対して折曲可能に連結され、
一方の対をなすウェブパネル（２６３，２６５；２７３，２７５）が、前記ハンドルストラップの少なくとも一部を形成するような一対の握り孔に隣接した各ハンドルストラップ端部のところに配置され、
他方の対をなすウェブパネル（２６２，２６４；２７２，２７４）が、前記一方の対をなすウェブパネルと、前記中央パネル（２１４）と前記左側パネル（２２０）および前記右側パネル（２２２ａ）のうちの一方とを連結している折曲線（２３４，２３６）と、の間に配置され、
前記切断線（２５８，２６０；２６８，２７０）が、前記他方の対をなすウェブパネルを起点として、隣接した前記左側パネルまたは前記右側パネル（２２２ａ）内へと、延出されていることを特徴とするカートン。
【請求項８】
単一シート材料から形成されたブランク（２６）であって、
請求項１〜７のいずれか１項に記載のカートンを形成するためのブランクであることを特徴とするブランク。
【手続補正２】
【補正対象書類名】明細書
【補正対象項目名】０００３
【補正方法】変更
【補正の内容】
【０００３】
ストラップハンドルを使用してカートンとその内容物とを持ち上げたときには、パッケージの重量が、ハンドルや、ハンドルの取付のためのある種のパネル領域（一般には、頂壁パネルの向きによる）や、あるいは、カートンの他の部分、に集中してしまうこととなる。重量集中によって応力が発生し、この応力が、ハンドルや様々なカートンパネル（特に、頂壁パネル）を変形させたり破壊したりしかねない。変形や破壊や他の引裂といったような問題点は、カートン材料として複数層の材料を使用することによって、および／または、より厚い材料を使用することによって、時に解決できることもあるけれども、そのような手段は、カートンのコストを増大させる。容易に引き裂け得るものではなく、また、カートンパネルの補強や厚い材料の使用を必要とするものでもなく、また、使用されているカートン材料の品質を維持しつつカートンの構造的強度を減じるものでもないような、ストラップハンドルが望ましいことは、理解されるであろう。なお、本出願人の知る限りにおいては、本出願に関連性を有する先行技術文献は存在しない。本発明は、１つまたは複数の上記問題点を解決するためのものである。
【手続補正３】
【補正対象書類名】明細書
【補正対象項目名】０００４
【補正方法】変更
【補正の内容】
【０００４】
本発明のある１つの見地は、飲料用容器のためのカートンであって、中央パネルと；折曲線に沿って中央パネルに対して折曲可能に連結された左側パネルと；折曲線に沿って中央パネルに対して折曲可能に連結された右側パネルと；中央パネルに対しての一体部分によってもたらされているストラップハンドルと；を具備し、ストラップハンドルが、このストラップハンドルの一端または各端部の近傍に位置した複数のウェブパネルを介して、および、中央パネルの各ウェブパネルから隣接側壁パネル内へと延在する切断線を介して、中央パネルに対して折曲可能に連結され、このような構成において、ウェブパネルが、中央パネルがなす面から上向きに折曲可能とされ、これと同時に、隣接側壁パネルおよび中央パネルのうちの、切断線どうしの間に位置した部分は、カートンに対して内向きに変位可能とされ、この変位と、ウェブパネルの上向き折曲と、によって、ストラップハンドル自体が、中央パネルがなす面よりも上方に持ち上げられ、これにより、負荷が、側壁パネル内へと伝達されて側壁パネルにわたって分散することを特徴とするカートンを提供する。
本発明のこの見地のある特徴点においては、中央パネルから隣接側壁パネル内へと延在する複数の切断線のうちの、互いに隣接する切断線どうしを、その隣接側壁パネル内において、ハンドルパネルを横断して延在する折曲線によって、連結することができる。
好ましくは、連結折曲線は、中央パネルと左側パネルおよび右側パネルのうちの一方とを連結している折曲線の近傍に配置される。
本発明のこの見地の他の特徴点においては、連結折曲線は、切断線の端部から、中央パネルと左側パネルおよび右側パネルのうちの一方とを連結している折曲線の近傍に向けて、内向きに延在させることができる。
本発明のこの見地のさらなる特徴点においては、連結折曲線は、中央パネルと左側パネルおよび右側パネルのうちの一方とを連結している折曲線に一致した部分を有することができる。
本発明のこの見地におけるさらに他の特徴点においては、ストラップハンドルは、互いに協同することによってハンドルストラップの少なくとも一部を形成するような一対の握り孔に隣接した各ハンドルストラップ端部のところに配置された一対のウェブパネルによって、中央パネルに対して折曲可能に連結することができる。
本発明のこの見地のある特徴点においては、
本発明のこの見地におけるさらに他の特徴点においては、ストラップハンドルは、２つの対をなすウェブパネルによって、中央パネルに対して折曲可能に連結することができ、一方の対をなすウェブパネルは、ハンドルストラップの少なくとも一部を形成するような一対の握り孔に隣接した各ハンドルストラップ端部のところに配置され、他方の対をなすウェブパネルは、一方の対をなすウェブパネルと、中央パネルと左側パネルおよび右側パネルのうちの一方とを連結している折曲線と、の間に配置され、切断線は、他方の対をなすウェブパネルを起点として、隣接した左側パネルまたは右側パネル内へと、延出されている。
本発明の他の見地は、単一シート材料から形成されたブランクであって、上述したカートンを形成するためのブランクを提供する。
他の実施形態においては、ストラップハンドルが、頂壁パネルおよび両側壁パネルに形成されており、両側壁パネルの間にわたって頂壁パネルを横断して横方向に延在している。ハンドルは、両側壁パネルと一体的に形成されており、複数のウェブパネルを使用して頂壁パネルに対して連結されている。ウェブパネルが伸びることによって、頂壁パネルからハンドルが離間され、容易に把持することができる。ハンドルの寸法と配置とのために、および、切込線が、ハンドルと両側壁パネルとの間の連結部分に配置されていることのために、負荷は、ハンドルから直接的に側壁パネルへと分散し、側壁パネルの全体にわたって分散する。


【手続補正４】
【補正対象書類名】明細書
【補正対象項目名】０００５
【補正方法】変更
【補正の内容】
【０００５】
他の実施形態においては、ストラップハンドルは、側壁パネルと頂壁パネルと底壁パネルとに形成され、頂壁パネルと底壁パネルの間にわたって側壁パネルを横断して横方向に延在している。ハンドルは、カートンは、側壁パネルを上向きとして持ち上げる。負荷は、ハンドルから、ハンドルに対して連結されている頂壁パネルおよび底壁パネルへと伝達される。


【手続補正５】
【補正対象書類名】明細書
【補正対象項目名】０００６
【補正方法】変更
【補正の内容】
【０００６】
ストラップハンドルは、また、首の長い瓶のためのカートンにおいても、有効である。そのような場合には、ハンドルは、側壁パネルと頂壁パネルとに形成される。カートンは、各瓶を鉛直方向としてではなく、各瓶を水平方向として、持ち上げる。


【手続補正６】
【補正対象書類名】明細書
【補正対象項目名】０００７
【補正方法】変更
【補正の内容】
【０００７】
本発明のいくつかの実施形態について、添付図面を参照しつつ、以下に例示する。
【手続補正７】
【補正対象書類名】明細書
【補正対象項目名】０００９
【補正方法】変更
【補正の内容】
【０００９】
図１および図２に示すように、カートン（１０）は、側壁パネル（１２，１４）と、端壁パネル（１３，１５，１６，１８）と、頂壁パネル（２０）と、底壁パネル（２２）と、から形成されている。カートン（１０）には、長手方向に対して横向きとされたストラップハンドル（２４）が設けられている。横方向ハンドル（２４）は、指を側壁（１２，１４）間に延在させることに代えて、指を端壁パネル（１３／１６，１５／１８）間に延在させた状態で、手によって横方向ハンドルを握り得るような、向きとされている。図示のように、カートン（１０）は、１２個の飲料容器（Ａ）を収容しており、この例においては、１２個パックを形成している。この実施形態においては、カートン内にパッケージングされた缶や他の物品は、それぞれの長手方向軸を、ハンドルがなす横方向配向に対して平行としつつ、配置されている。横方向ストラップハンドル（２４）によって持ち上げられたときには、ハンドル（２４）による持上力は、従来的な縦方向ストラップハンドルの場合のように頂壁パネル（２０）や端壁パネル（１３／１６，１５／１８）やカートンコーナー部分に向けてではなく、側壁パネル（１２，１４）へと向けられる。よって、この持上力は、広い面積全体にわたって分散し、カートンをなす材料の厚さを増大させなくても、負荷に適合することができて、引裂発生を防止することができる。意図的な複数の切断線や折曲線を設けることにより、使用者が手を挿入し得る程度に十分なだけハンドル（２４）を持ち上げることができて、手によってハンドル（２４）を握ることができ、カートンを持ち運ぶことができる。


【手続補正８】
【補正対象書類名】明細書
【補正対象項目名】００１０
【補正方法】変更
【補正の内容】
【００１０】
図２は、カートン（１０）を形成し得るブランク（２６）を示している。ブランク（２６）は、好ましくは、１枚の材料から形成されており、折曲線（２８，３０）が設けられていることによって端壁パネルと中央パネルとに区分される。頂壁パネル（２０）は、中央頂壁パネル部分（２０）と、端壁部分と、を備えている。同様に、側壁パネル（１２，１４）は、中央パネル部分と、端壁部分（１３，１５，１６，１８）と、を備えている。頂壁パネル（２０）は、折曲線（３２）に沿って側壁パネル（１２）に対して折曲可能に連結されているとともに、また、折曲線（３４）に沿って側壁パネル（１４）に対しても折曲可能に連結されている。側壁パネル（１４）は、折曲線（３６）に沿って底壁パネル（２２ａ）に対して折曲可能に連結されている。底壁パネル（２２ｂ）は、折曲線（３８）に沿って側壁パネル（１２）に対して折曲可能に連結されている。


【手続補正９】
【補正対象書類名】明細書
【補正対象項目名】００１１
【補正方法】変更
【補正の内容】
【００１１】
ブランク（２６）においては、側壁パネルと関連端壁パネルとに切込が形成され、破断線（中断箇所付き切断線）（４０，４２）が形成されている。破断線（４０，４２）により、これらパネルから材料を除去することができ、缶のための取出口を形成することができる。底壁パネル（２２）は、複数の切込線を有しており、これにより、小さな三角形のパネル（４４，４６）を形成している。これら三角形パネル（４４，４６）は、撓むことによってコーナー部分の形状を変更するものであり、コーナー部分が直角となってしまうことを回避する。この撓みにより、パネル（１４）のコーナー部分が、丸められる。底壁パネル（２２）は、また、除去可能なパネル（４８，５０）を形成するような切込線を有することができる。


【手続補正１０】
【補正対象書類名】明細書
【補正対象項目名】００１３
【補正方法】変更
【補正の内容】
【００１３】
横方向ハンドルストラップ（２４）は、頂壁パネル（２０）内の２つの切欠の間に形成された主ストラップ部分を有している。ハンドルフラップ（５２，５４）は、切込線に沿ってハンドル（２４）に対して連結されており、カートンの組立状態においては、ストラップの厚さを増大させて、握り孔の快適性を高めることができる。ハンドルアセンブリの全体は、頂壁パネル（２０）を横切って、側壁パネル（１２，１４）上へと延在している。これにより、ハンドルアセンブリは、折曲線（３２，３４）を横断して延在している。ハンドルアセンブリは、折曲線（５６）に沿って側壁パネル（１２）において終端している。折曲線（５６）は、中央領域と、パネル（１２）に向かう角度とされた両端部と、を有している。このため、折曲線（５６）は、凹形状を有している、すなわち、反転“Ｃ”字形状を有している。その反転“Ｃ”字形状の両端部は、上下に位置した切断線（５８，６０）のところにおいてあるいは近傍において終端している。切断線（５８）は、折曲線（３２）に向けて下向きにかつ斜めに延在しており、その後、パネル（２０）上においては水平に延在している。同様に、切断線（６０）は、折曲線（３２）に向けて上向きにかつ斜めにパネル（１２）を横断しつつ延在しており、その後、パネル（２０）上においては水平に延在している。引裂を防止するために、また、持上力をパネル（２０，２２）のバルク内へと案内し得るように、切断線（５８，６０）の端部は、好ましくは、Ｊ字形状とされており、それらＪ字形状の背面どうしが互いに向き合っている。そのため、それらＪ字形状の湾曲部分どうしは、パネル（１２）内において互いに離間する向きに延在している。応力領域から離間する向きに湾曲していて引裂を防止しパネルのバルクへと引上力を分散させ得る限りにおいては、Ｊ字形状以外の形状を使用することができる。好ましくは、切断線（５８，６０）は、完全な切断線ではなく、カートンを立体化した後に容易に分離し得るようなギザギザ状とされる。




【国際調査報告】
2005505474.tif 000030
2005505474.tif 000031
2005505474.tif 000032